(57)【要約】      （修正有）【課題】従来のピンセットと同様に糸を取り扱易い上に、同時に糸の切断や除去作業をも一挙に簡単容易に行うことができるピンセットを提供する。【解決手段】先端の挟持部２と把持部３とからなる２本の脚部１、１’で構成されているピンセットにおいて、挟持部に刃４を設けた。刃を、両脚部において挟持部に設けた。刃を、挟持部の先端部分以外の物を挟まない部分の一部に設けた。ピンセントの少なくとも刃を、セラミック製とした。【選択図】図１
2006150524.tif 000002
【特許請求の範囲】
【請求項１】
先端の挟持部と把持部とからなる２本の脚部で構成されているピンセットにおいて、該挟持部に刃を設けたことを特徴とするピンセット。
【請求項２】
該刃が、該挟持部の先端部分以外の物を挟まない部分の一部に設けられているものである請求項１に記載のピンセット。
【請求項３】
該刃が、両脚部において該挟持部に設けられているものである請求項１または２に記載のピンセット。
【請求項４】
該刃が、該脚部の一方向の側に向けられた片刃状に設けられているものである請求項１〜３のいずれかに記載のピンセット。
【請求項５】
該ピンセットが、該挟持部と該把持部とが折れ曲がっているコーク型ピンセットである請求項１〜４のいずれかに記載のピンセット。
【請求項６】
該刃が、該折曲部および／またはその付近に設けられているものである請求項５に記載のピンセット。
【請求項７】
該刃が、該ピンセット本体とは別個に形成されて取り付けられたものである請求項１〜６のいずれかに記載のピンセット。
【請求項８】
該ピンセットの少なくとも刃が、セラミックス製である請求項１〜７のいずれかに記載のピンセット。
【請求項９】
該ピンセットが、糸取り扱い用である請求項１〜８のいずれかに記載のピンセット。
【発明の詳細な説明】
【技術分野】
【０００１】
本発明は、糸を取り扱易く、糸の切断や除去作業を簡単容易に、かつ、作業効率を向上させることができるピンセットに関する。
【背景技術】
【０００２】
従来からピンセットは、指では取り扱いにくい、滑り易い微小部材やＩＣデバイスなどの微粒子や、微細な糸状のものなどを挟んで取り扱う道具として重宝して使用されているものである。
【０００３】
近年、かかるピンセットにおいて、専門分野では、さらに取り扱いやすいように工夫、改善されているのが実状である。たとえば、医療用の金属製ピンセットとして、その先端部の挟持部の表面に、シリコーン樹脂やこれにラテックスを混合したもの、他にはウレタン系樹脂などを塗布して、金属の滑りを防止したもの（特許文献１参照）や、精密機器、たとえば半導体分野、つまりウエハやＩＣなどを取り扱うピンセットとして、その先端部の挟持部を、把持部（本体部）に回転可能に枢着したもの（特許文献２参照）など、各種の専門分野用に改善された構造を有するものが提案されている。
【０００４】
しかし、糸状のものを取り扱うピンセットを改善されたものは存在しなかった。たとえば従来のピンセットで布の裁縫部の糸を除去する場合は、ハサミや糸切り器で糸を切断した後、ピンセットを用いて糸の切れ端を除去していたが、かかる作業を一つの道具で、一挙にやりとげるものは未だ存在しなかった。
【特許文献１】特開平５−８４２５４号公報
【特許文献２】特開平５−２９４４４号公報
【発明の開示】
【発明が解決しようとする課題】
【０００５】
本発明は、かかる従来技術の背景に鑑み、従来のピンセットと同様に糸を取り扱易い上に、同時に糸の切断や除去作業をも一挙に簡単容易に行うことができるピンセットを提供せんとするものである。
【課題を解決するための手段】
【０００６】
本発明は、かかる課題を解決するために、次のような手段を採用する。すなわち、本発明のピンセットは、先端の挟持部と把持部とからなる２本の脚部で構成されているピンセットにおいて、該挟持部に刃を設けたことを特徴とするものである。
【発明の効果】
【０００７】
本発明によれば、従来のピンセットと同様に作業できる上に、切断や除去作業も同時にできる、作業効率を大幅に向上させることができるピンセットを提供することができる。
【発明を実施するための最良の形態】
【０００８】
本発明は、前記課題、つまり従来のピンセットと同様に糸を取り扱易い上に、同時に糸の切断や除去作業をも一挙に簡単容易に遂行することができるピンセットについて、鋭意検討し、ピンセットの先端の挟持部の一部に刃を設けてみたところ、意外にも、かかる課題を一挙に解決することを究明したものである。
【０００９】
本発明のピンセットは、指先では取り扱いにくい、微小部材や微粒子、さらには微細な糸状のものなどを挟み込んだり、摘んで取り扱う道具としてはもちろんのこと、さらに切断可能な素材からなる糸状のものならば、切断や除去作業も簡単容易に行うことができる機能を備えたところに特徴を有するものである。つまり、刃付きピンセットに関するものである。
【００１０】
本発明を図面を用いて、以下説明する。
【００１１】
図１は、本発明のピンセットの一例であって、ピンセットが２本の脚部１、１′からなり、通常、その脚部が、挟持部２と把持部３で表される形状を有するものであるが、本発明のポイントは、かかるピンセットの該挟持部２に刃４を設けたものである。かかる刃４の設置位置は、図のように、摘んだり鋏み込んだりし易いように、該挟持部２の先端部分以外の、つまり物を挟まない部分の一部に、好ましくは把持部３に近い箇所に設けられているのがよい。この刃４は、該脚部１、１′の片方のみに設けられていてもよいが、たとえば長尺物、つまり糸などを鋏み込んで作業した後に、この糸を切断する場合などでは、該両脚部１、１′に、それも同位置に設けられているのが好ましい。また、かかる刃４は、両刃状に設けてもよいが、作業中の接触により怪我や他の物品を傷つけ易い危険があるので、図のように該脚部１、１′の一方向の側に刃が向けられている片刃状のものが好ましく採用される。
【００１２】
ここで、本発明において、まず、把持部３とは、手で把持する部分であり、挟持部２とは、この把持部３より先端部の、物を摘んだり鋏み込んだりする部分である。
【００１３】
かかるピンセットを構成する材質は、従来からピンセットに用いられてきた素材であればどのようなものでも使用することができ、たとえば金属であればＳ４５Ｃなどの炭素鋼や、一般構造用軟鋼であるＳＳ材、ＳＵＳ３０４などのステンレス鋼、アルミニウム、チタンなどの金属製のものから、ナイロン、アセタール樹脂などのプラスチック製、あるいは酸化アルミニウム、酸化ジルコニウム、炭化珪素などのセラミックス製など各種の素材を用いて構成することができる。
【００１４】
かかるピンセットは、一体成形法により形成することもできるが、挟持部２と把持部３を別個に形成して、後で組み合わせて一つのピンセットを構成することもできる。もちろん、その場合、挟持部と把持部とで材質を変えても差し支えない。
【００１５】
かかる挟持部と把持部を別個に形成する方法において、これら両者を接合する手段としては、埋め込み型（把持部３がプラスチックの場合）、リベット止め、接着・融着・溶接・ろう付け、かしめ等、材質に合わせて、如何なる手段でもよいが、要するにピンセットとしての機能が発揮できる強度を付与することができれば方法は問わない。
【００１６】
本発明のポイントは、かかるピンセットにおいて、刃４を有するところにある。つまり、かかる刃部４をかかるピンセットに形成させる場合、前者の一体成形法によりピンセットを形成する場合は、その材質として、該ピンセット全体を、刃部４を構成する材質で形成させる必要があるが、後者の挟持部２と把持部３を別個に形成する方法であれば、挟持部２のみを刃部４を構成する材質で形成させればよいことになる。さらには該ピンセット本体（挟持部と把持部）はプラスチックで形成し、刃部４のみを別個に形成して取り付けて、本発明のピンセットを形成することもできる。
【００１７】
いずれにしても、本発明のかかる刃部４を構成する素材としては、炭素鋼、一般構造用軟鋼、ステンレス鋼、チタン、酸化ジルコニウム、炭化珪素などが好適に採用される。これらの中でも、炭素鋼およびセラミックスが、その切れ味や美観の上から好ましく使用される。なお、かかるセラミックスの中でも、特に好ましくは酸化ジルコニウムが、前記効果の上に耐久性の上からよい。かかるセラミックス製の刃部は、金属製のものと比べて、刃の寿命が長く、また錆が発生しないので、取り扱う糸や部材を汚す心配がないという利点がある。
【００１８】
かかる刃は、プラスチックでは満足な性能を有する刃を形成することに比較的適していないし、また、酸化アルミニウムなどでは脆くて、すぐに刃がぼろぼろになってしまうことがある。
【００１９】
かかる刃の刃先の形状は、鋭角であれば良いが、３５°以下が好ましい。さらに途中から角度を変化させた２段刃であるのが、刃の寿命がのびるのでより好ましい。
【００２０】
かかる刃において、刃先をラッピング加工すると、切れ味が良くなり、さらに刃の寿命がのびるのでより好ましい。
【００２１】
かかる刃部４の大きさは、切断するという目的からは、別に大きさ（長さ）に制約は無いが、あまり大きすぎると、扱いにくくなり、不用意に取り扱い物品を傷付けたり、切断したりしてしまったり、指先等を傷つけることがあるので、これらを防止し、かつ切断時の取り扱い性を考慮すると、好ましくは１０ｍｍ以下、さらに好ましくは５〜１０ｍｍの範囲がよい。
【００２２】
また、本発明のピンセットを構成する素材として、鉄材や鋼材を用いる場合は、その表面にクロムメッキ等の表面処理を施したものを使用するのが、防錆対策や美観を向上させる上から好ましい。
図２は、図１とは別の形状、つまり該挟持部と該把持部との境界において、折れ曲がっているコーク型ピンセットを示すものである。このピンセットの場合の刃部４の設定位置は、図１で説明した位置でもよいが、好ましくは該折れ曲がった折曲部および／またはその付近に設けられているのが、便利で取り扱い易く、作業性効率の上からよい。かかるコーク型ピンセットの屈曲部から先端までの長さは、好ましくは１０〜２５ｍｍの範囲にあるのが、取扱性に優れていてよい。
かかるピンセットにおいて、刃部４は、図３のように、ピンセット本体（挟持部と把持部）と一体的に作られたものであってもよいが、該ピンセット本体とは別個形成されて、後から取り付けられたものであってもよい。かかるピンセットおよび刃において、金属製、好ましくは鋼製、さらに好ましくはセラミックス製であるのが、防汚性や使用後の清掃性の上からよい。少なくとも刃４は、セラミックス製であるのが手入れの心配が少なくてよい。
【００２３】
かかるピンセットは、指先では取り扱いにくい、微小部材や微粒子、さらには微細な糸状のものなどを取り扱うのに便利で、さらに切断作業や除去作業も簡単容易に行うことができるので、多種多様の用途に使用することができるが、特に糸を取り扱う場合では、該挟持部２，２’の先端を用いて、糸を引き抜いたり、切断したりするなど微細な作業を、簡単、容易に行うことができるものである。
【００２４】
本発明のピンセットの刃部４は、かかる糸状物のみならず、紙などのシート状物を切断することもでき、たとえば封書を開封する際のレターオープナーや、紙を裁断する簡易カッターとしても使用することができる。かかる使用方法に、特にコーク型ピンセットが好ましく使用される。
【図面の簡単な説明】
【００２５】
【図１】この図は、本発明のピンセットの一例を示す全体図である。
【図２】この図は、本発明のピンセットの他の一例を示す全体図である。
【図３】この図は、本発明のピンセットの刃付き挟持部の一例を示す部分拡大図である。
【符号の説明】
【００２６】
１、１′：脚部（ピンセット本体；挟持部と把持部含む）
２、２′：挟持部
３：把持部
４：刃
【図１】
2006150524.tif 000003
【図２】
2006150524.tif 000004
【図３】
2006150524.tif 000005